(57)【特許請求の範囲】
【請求項１】
遊技盤の所定位置で昇降動作可能な演出部材を有するとともに、遊技内容に応じて当該演出部材を昇降させて演出可能なパチンコ遊技機において、
所定方向に延びる回転軸から成るとともに、前記演出部材の落下時における自重を利用して当該演出部材に対して回転力を付与させる回転力付与手段を具備し、且つ、前記演出部材は、当該回転力付与手段を中心として回転しつつ自重により落下可能とされ、当該回転力付与手段から外れると慣性により回転状態が維持されるとともに、ワイヤの先端に連結されつつ自重で所定位置まで自由落下した後、当該ワイヤで上方へ引っ張られて初期位置とされる構成とされ、且つ、前記演出部材は、前記ワイヤを挿通させつつ前記演出部材が自由落下する際に生じる当該ワイヤの弛みを許容する挿通空間が形成された筒状部材を具備したことを特徴とするパチンコ遊技機。
【請求項２】
前記回転力付与手段は、上下方向に延びることを特徴とする請求項１記載のパチンコ遊技機。
【請求項３】
前記ワイヤの先端にはベアリングが形成され、当該ベアリングを介して前記ワイヤと筒状部材とが連結されたことを特徴とする請求項１又は請求項２記載のパチンコ遊技機。
【請求項４】
前記演出部材は、図柄を変動表示又は停止表示可能な図柄表示手段が取り付けられるべき役物に設けられ、当該図柄表示手段より手前側で昇降動作可能とされたことを特徴とする請求項１〜３の何れか１つに記載のパチンコ遊技機。
【発明の詳細な説明】
【技術分野】
【０００１】
本発明は、遊技盤の所定位置で昇降動作可能な演出部材を有するとともに、遊技内容に応じて当該演出部材を昇降させて演出可能なパチンコ遊技機に関するものである。
【背景技術】
【０００２】
遊技内容に応じて昇降自在な演出部材を遊技盤に設けられた役物に具備させたパチンコ遊技機が、従来より、例えば特許文献１等にて提案されている。かかる従来のパチンコ遊技機における演出部材は、アームが延設され、そのアームに回転部材が係合して定常状態（上昇端位置）で保持されるとともに、電動モータを駆動させて回転板を回転させ、当該回転板とアームとの係合状態を一時的に解除することにより、その自重によって所定位置まで落下するよう構成されている。
【特許文献１】特開２００７−７０５７号公報
【発明の開示】
【発明が解決しようとする課題】
【０００３】
しかしながら、上記従来のパチンコ遊技機においては、演出部材がその自重によって落下（所謂、自由落下）することにより従来にない演出効果を奏し得ているものの、単に自由落下するものであるため、演出効果を一層向上させるには不十分なものであった。かかる事情により、本出願人は、自由落下する演出部材による演出効果を更に向上させるべく鋭意検討するに至った。
【０００４】
本発明は、このような事情に鑑みてなされたもので、自重により落下する演出部材による演出効果を更に向上させることができるパチンコ遊技機を提供することにある。
【課題を解決するための手段】
【０００５】
請求項１記載の発明は、遊技盤の所定位置で昇降動作可能な演出部材を有するとともに、遊技内容に応じて当該演出部材を昇降させて演出可能なパチンコ遊技機において、所定方向に延びる回転軸から成るとともに、前記演出部材の落下時における自重を利用して当該演出部材に対して回転力を付与させる回転力付与手段を具備し、且つ、前記演出部材は、当該回転力付与手段を中心として回転しつつ自重により落下可能とされ、当該回転力付与手段から外れると慣性により回転状態が維持されるとともに、ワイヤの先端に連結されつつ自重で所定位置まで自由落下した後、当該ワイヤで上方へ引っ張られて初期位置とされる構成とされ、且つ、前記演出部材は、前記ワイヤを挿通させつつ前記演出部材が自由落下する際に生じる当該ワイヤの弛みを許容する挿通空間が形成された筒状部材を具備したことを特徴とする。
【０００７】
請求項２記載の発明は、請求項１記載のパチンコ遊技機において、前記回転力付与手段は、上下方向に延びることを特徴とする。
【０００８】
請求項３記載の発明は、請求項１又は請求項２記載のパチンコ遊技機において、前記ワイヤの先端にはベアリングが形成され、当該ベアリングを介して前記ワイヤと筒状部材とが連結されたことを特徴とする。
【０００９】
請求項４記載の発明は、請求項１〜３の何れか１つに記載のパチンコ遊技機において、前記演出部材は、図柄を変動表示又は停止表示可能な図柄表示手段が取り付けられるべき役物に設けられ、当該図柄表示手段より手前側で昇降動作可能とされたことを特徴とする。
【発明の効果】
【００１０】
請求項１の発明によれば、演出部材は、ワイヤの先端に連結されつつ自重で所定位置まで自由落下した後、当該ワイヤで上方へ引っ張られて初期位置とされるので、自重による落下動作及び初期位置までの戻し動作を容易に行わせることができるとともに、ワイヤで吊された状態で不規則に振れることとなるので、既存のものにはない演出効果を奏することができる。
【００１１】
加えて、演出部材は、ワイヤを挿通させつつ当該ワイヤの弛みを許容する挿通空間が形成された筒状部材を具備したので、演出部材が自由落下する際に生じるワイヤの弛みにより、当該ワイヤが周囲構成物と干渉してしまうのを回避することができ、よりスムーズに演出部材の落下動作を行わせることができる。また、当該筒状部材の挿通空間内でワイヤの弛みが許容されるので、当該弛みは遊技者側からは隠れて見えず、演出部材が落下する際の見栄えを向上させることができる。
【００１２】
さらに、演出部材は、所定方向に延びる回転力付与手段を中心として回転しつつ自重により落下（自由落下）可能とされるので、従来の如く単に自由落下するものに加え、回転動作による演出を行わせることができ、自重により落下する演出部材による演出効果を更に向上させることができる。
【００１３】
請求項２の発明によれば、回転力付与手段は、上下方向に延びるので、従来にはない演出効果をより向上させることができる。
【００１４】
請求項３の発明によれば、ワイヤの先端にはベアリングが形成され、当該ベアリングを介してワイヤと筒状部材とが連結されたので、演出部材とワイヤとの間の相対的な回転（回転軸を中心とした回転）が許容され、演出部材に伴ってワイヤが回転し、捩れたりしてしまうのを回避することができる。従って、ベアリングを介在させることにより、演出部材の昇降動作をより確実且つスムーズに行わせることができる。
【００１５】
請求項４の発明によれば、演出部材は、図柄を変動表示又は停止表示可能な図柄表示手段が取り付けられるべき役物に設けられ、当該図柄表示手段より手前側で昇降動作可能とされたので、遊技者の注目度をより向上させることができ、自重により落下する演出部材による演出効果を更に一層向上させることができる。また、ワイヤで吊された状態の演出部材が図柄表示手段の手前側で不規則に振れることとなるので、遊技者の注目度を更に向上させることができるとともに、演出部材が自由落下する際のワイヤの弛みにより役物内に形成された周囲構成物と干渉してしまうのを回避することができる。
【発明を実施するための最良の形態】
【００１６】
以下、本発明の実施形態について図面を参照しながら具体的に説明する。
本実施形態に係るパチンコ遊技機は、遊技盤の所定位置で昇降動作可能な演出部材を有するとともに、遊技内容に応じて当該演出部材を昇降させて演出可能なものであり、図１に示すように、ガラス板２が取り付けられた前面枠３を有しており、かかるガラス板２を介して遊技者が遊技盤４を目視し得るように構成されている。
【００１７】
この遊技盤４には、種々役物や複数の釘或いは風車等が形成されているとともに、始動口７及び大入賞口８がそれぞれ形成されている。更に、遊技盤４の略中央には、役物５が固定されるとともに、当該役物５内部には、液晶表示装置等から成る図柄表示手段６が配設されている。かかる図柄表示手段６は、その画面に所定の図柄や背景等を表示し得るようになっている。
【００１８】
そして、始動口７に遊技球が入賞することにより始動条件が成立したときに図柄表示手段６の図柄を変動表示させ、複数の図柄が揃って停止表示されることにより「大当たり」状態として大入賞口８を所定時間及びタイミングで開口させて多数の遊技球を獲得できるよう構成されている。また、パチンコ遊技機１の下方右隅部（下皿１０と隣接した位置）にはハンドル１１が配設されており、遊技者が該ハンドル１１を把持しつつ回動操作することにより、上皿９内の遊技球を遊技盤４へ打ち出すよう構成されている。
【００１９】
更に、パチンコ遊技機１には、遊技内容に応じて点灯又は点滅させ得るＬＥＤ（不図示）等が配設されるとともに、遊技内容に応じて音声や効果音等を出力可能なスピーカ（不図示）等が配設されている。これにより、遊技者の視覚や聴覚に及ぼす効果を十分に向上させ、演出効果を高めることができるようになっている。尚、遊技内容に応じてハンドル１１が振動等して演出効果を更に高めるよう構成してもよい。
【００２０】
役物５は、遊技盤４の略中央に固定されたものであり、図２〜４に示すように、その中央には、図柄表示手段６の画面を遊技者側に臨ませる開口５ａが形成されている。かかる開口５ａの上縁面には、昇降動作可能な演出部材１２が取り付けられており、遊技内容に応じて当該演出部材１２が昇降することにより演出可能とされている。具体的には、演出部材１２には、図１０に示すように、その内部空間に一対の突起２０ｃがそれぞれ内側に向かって形成されているとともに、役物５の開口５ａの上縁面からは、下方に向かって直線状に突出したスパイラルシャフト１３（回転力付与手段）が形成されている。
【００２１】
このスパイラルシャフト１３は、上端に固定フランジ１４が一体形成されており、当該固定フランジ１４が役物５の上縁面に固定されたものであり、その側面には演出部材１２の突起２０ｃと嵌合可能であり且つスパイラル状に形成された溝１３ａが形成されている。そして、かかる溝１３ａに当該突起２０ｃが係止することにより、演出部材１２が所定位置（即ち、役物５の開口５ａ内の位置）に保持されるようになっている。
【００２２】
一方、演出部材１２は、図５で示すように、円筒状に形成された円筒部材２０（筒状部材）と、該円筒部材２０の下端開口から挿通されて取り付けられる飾り受２１と、該飾り受２１内部に挿通されて固定されるベアリングカラー２２と、円筒部材２０の下端に取り付けられて所定重量を有するバランスウェイト２３とから構成されており、円筒部材２０の側面には、側方に向かって拡がる如く羽根部２０ａ、２０ｂが形成されている。このうちバランスウェイト２３は、演出部材１２全体の錘として機能するものである。
【００２３】
既述した一対の突起２０ｃは、筒状部材としての円筒部材２０の内部空間（挿通空間２０ｄ）における上端側内壁面からそれぞれ内側に向かって突出形成されているとともに、当該挿通空間２０ｄは、ワイヤＷを挿通させつつ当該ワイヤＷの弛み（図１１の二点鎖線参照）を許容するよう構成されている。即ち、演出部材１２が自由落下する際に生じるワイヤＷの弛みは、円筒部材２０内の挿通空間２０ｄ内で許容されることとなるのである。尚、本実施形態においては、円筒状の円筒部材２０内が挿通空間２０ｄとされているが、ワイヤＷを挿通しつつその弛みを許容し得るものであれば他の筒状形状であってもよい。
【００２４】
然るに、スパイラルシャフト１３には、その内部に長手方向に沿った貫通孔１３ｂが設けられており、その貫通孔１３ｂにワイヤＷ（ステンレスワイヤ）が挿通されている。かかるワイヤＷの先端には、ボールベアリング２４が固定されており、該ボールベアリング２４がベアリングカラー２２を介して飾り受２１及び円筒部材２０に取り付けられている。而して、ボールベアリング２４を介して演出部材１２（円筒部材２０）とワイヤＷとが連結されることとなり、当該演出部材１２とワイヤＷとの間の相対的な回転（回転軸Ｌを中心とした回転）が許容されるようになっている。
【００２５】
尚、役物５の上端側におけるスパイラルシャフト１３を臨ませた両側位置には、図５に示すように、発光ダイオード（ＬＥＤ）Ｄ１、Ｄ２が形成された基板１８、１９が配設されている。かかる発光ダイオード（ＬＥＤ）Ｄ１、Ｄ２が点灯又は点滅することにより、スパイラルシャフト１３の上端（初期位置）にある演出部材１２を照らすことができる。
【００２６】
役物５におけるスパイラルシャフト１３の固定位置より上方には、図６、７に示すように、アイドラプーリＲ１が形成されているとともに、その近傍にステッピングモータＭの出力軸と連結されて回転駆動可能な巻き取りプーリＲ２が併設されている。尚、図中符号Ｂは、モータブラケットを示している。ワイヤＷは、初期状態（演出部材１２がスパイラルシャフト１３の上端で保持された状態）において、アイドラプーリＲ１を介して巻き取りプーリＲ２に巻き取られた状態とされている。即ち、初期状態においては、演出部材１２がワイヤＷの張力にて所定位置に保持されるようになっているのである。
【００２７】
その状態から、遊技内容に応じてステッピングモータＭを駆動してワイヤＷが繰り出す方向に巻き取りプーリＰ２を回転させると、演出部材１２がその自重によって下方に落下（自由落下）することとなる。然るに、上述したように、突起２０ｃはスパイラルシャフト１３の溝１３ａと嵌合しているので、当該突起２０ｃが溝１３ａに沿って摺動し、故に、演出部材１２が回転軸Ｌを中心として回転しつつ自重により落下することとなる。
【００２８】
これにより、スパイラルシャフト１３（回転力付与手段）は、そのスパイラル状の溝１３ａにより、演出部材１２の落下時における自重を利用して当該演出部材１２に対して回転力を付与させることができるのである。また、ボールベアリング２４により、演出部材１２とワイヤＷとの間の相対的な回転が許容されているので、演出部材１２に伴ってワイヤＷが回転し、捩れたりしてしまうのを回避することができる。
【００２９】
而して、演出部材１２がスパイラルシャフト１３の下端に達した後、図７、９、１１に示すように、その先端から更に落下する際も、慣性により回転する状態は維持されるのであるが、繰り出されたワイヤＷの寸法分だけ落下すると下端に達し、当該ワイヤＷの張力にて再び保持されるので、それ以上の落下はなされない。ここで、少なくとも演出部材１２がスパイラルシャフト１３の下端に達した以降は、当該演出部材１２の自由落下速度よりワイヤＷの繰出し速度が速くなるようステッピングモータＭの駆動速度が設定されており、当該演出部材１２の自重により落下（ワイヤＷによる拘束を排除した自由落下）がなされるようになっている。而して、演出部材１２の自由落下時には、ワイヤＷが必然的に弛むこととなる。
【００３０】
更に、演出部材１２は、下端に達した状態においても、慣性により暫く回転がなされることとなるとともに、ワイヤで吊された状態で左右方向に不規則に振れることとなるので、既存のものにはない演出効果を奏することができる。即ち、演出部材１２は、ワイヤＷの先端に連結されつつ自重で所定位置まで自由落下した後、当該ワイヤＷで上方へ引っ張られて初期位置とされるので、自重による落下動作及び初期位置までの戻し動作を容易に行わせることができるとともに、ワイヤＷで吊された状態で振り子の如く左右に振れ、その振れが不規則となるので、既存のものにはない演出効果を奏することができる。
【００３１】
また、本実施形態に係る演出部材１２によれば、演出部材１２が役物５の開口５ａにおける上縁面から下方に自由落下するので、図柄表示手段６の手前側で動作（昇降動作）することとなる。かかる図柄表示手段６は、既述したように、遊技内容に応じて図柄を変動表示又は停止表示可能とされているため、遊技者の注目度をより向上させることができ、自重により落下する演出部材１２による演出効果を更に一層向上させることができる。
【００３２】
特に、本実施形態においては、ワイヤＷで吊された状態の演出部材１２が図柄表示手段６の手前側で不規則に振れることとなるので、遊技者の注目度を更に向上させることができるとともに、円筒部材２０の挿通空間２０ｄ内でワイヤＷの弛みが許容されるので、演出部材１２が自由落下する際のワイヤＷの弛みにより役物５内に形成された周囲構成物と干渉してしまうのを回避することができる。尚、本実施形態に係るワイヤＷは、ステンレスワイヤから成るので、滑らかに屈曲可能であり、ワイヤＷで吊された状態の演出部材１２を不規則且つ自然に振れさせることができ、既存のものにはない演出効果を更に奏することができる。
【００３３】
以上により、演出部材１２が回転しつつ自由落下した後、当該演出部材１２を元の位置（初期位置）に戻すには、ステッピングモータＭを駆動してワイヤＷが巻き取られる方向に巻き取りプーリＰ２を回転させる。然るに、演出部材１２は、ワイヤＷにより上方へ引っ張られ、スパイラルシャフト１３の下端に至り、突起２０ｃが当該スパイラルシャフト１３の溝１３ａと再び嵌合した後、落下時とは逆方向に回転しつつ溝１３ａに沿って上昇することとなる。
【００３４】
而して、演出部材１２は、ワイヤＷの先端に連結されつつ自重で所定位置まで自由落下した後、当該ワイヤＷで上方へ引っ張られて初期位置とされることとなる。一方、固定フランジ１４には、図５に示すように、貫通孔１４ａが形成されており、該貫通孔１４ａにセンサ取付ブラケット１６に保持されたセンサドグ１５が挿通されるようになっている。かかるセンサドグ１５は、側方へ突出した腕部１５ａを有しており、演出部材１２が初期位置より下方にあるとき、図７に示すように、自重で下方へ下がった状態とされて腕部１５ａが固定フランジ１４に当接した状態となっている。
【００３５】
そして、演出部材１２が上端（初期位置）に達すると、図６に示すように、センサドグ１５は当該演出部材１２により上方へ押し上げられるよう構成されている。当該センサドグ１５の近傍には、当該センサドグ１５が上方へ押し上げられたときの腕部１５ａを検知可能なフォトセンサ１７が配設されている。而して、腕部１５ａの有無を検知することにより演出部材１２が上端に達したか否かを検知することができ、その時点でステッピングモータＭを停止させることができる。
【００３６】
上記実施形態によれば、演出部材１２は、ワイヤＷの先端に連結されつつ自重で所定位置まで自由落下した後、当該ワイヤＷで上方へ引っ張られて初期位置とされるので、自重による落下動作及び初期位置までの戻し動作を容易に行わせることができるとともに、ワイヤＷで吊された状態で不規則に振れることとなるので、既存のものにはない演出効果を奏することができる。
【００３７】
加えて、演出部材１２は、ワイヤＷを挿通させつつ当該ワイヤＷの弛みを許容する挿通空間２０ｄが形成された筒状部材としての円筒部材２０を具備したので、演出部材１２が自由落下する際に生じるワイヤＷの弛みにより、当該ワイヤＷが周囲構成物と干渉してしまうのを回避することができ、よりスムーズに演出部材１２の落下動作を行わせることができる。また、当該円筒部材２０の挿通空間２０ｄ内でワイヤＷの弛みが許容されるので、当該弛みは遊技者側からは隠れて見えず、演出部材１２が落下する際の見栄えを向上させることができる。
【００３８】
演出部材１２は、上下方向に延びる回転軸Ｌを中心として回転しつつ自重により落下（自由落下）するので、従来の如く単に自由落下するものに加え、回転動作による演出を行わせることができ、自重により落下する演出部材１２による演出効果を更に向上させることができる。演出部材１２の落下は、遊技内容に応じて所定タイミングにて行われることとなる。
【００３９】
然るに、本実施形態によれば、ワイヤＷの先端にはボールベアリング２４が形成され、当該ボールベアリング２４を介してワイヤＷと円筒部材２０とが連結（厳密には更にベアリングカラー２２及び飾り受２１を介して連結）されたので、演出部材１２とワイヤＷとの間の相対的な回転（回転軸を中心とした回転）が許容され、演出部材１２に伴ってワイヤＷが回転し、捩れたりしてしまうのを回避することができる。従って、ボールベアリング２４を介在させることにより、演出部材１２の昇降動作をより確実且つスムーズに行わせることができる。
【００４０】
また、演出部材１２の落下時における自重を利用して当該演出部材１２に対して回転力を付与させる回転力付与手段としてのスパイラルシャフト１３を具備したので、回転のための別途の駆動源等を不要とすることができるとともに、遊技内容に応じて演出部材１２が自由落下する際、より確実に回転させることができる。更に、演出部材１２は、側方に拡がる如く形成された羽根部２０ａ、２０ｂを有するので、回転しつつ自重により落下（自由落下）する際の演出効果を更に向上させることができる。
【００４１】
更に本実施形態によれば、ワイヤＷの繰出し及び巻取りが可能なステッピングモータＭ（駆動手段）を具備し、遊技内容に応じたタイミングで当該ステッピングモータＭが駆動可能とされたので、演出部材１２の自重による落下動作及び初期位置までの戻し動作を確実且つ容易に行わせることができる。また、ワイヤＷの繰出し及び巻取りが可能な駆動手段が、ステッピングモータＭから成るので、演出部材１２の自重による落下動作及び初期位置までの戻し動作を的確なタイミングで精度よく行わせることができる
【００４２】
以上、本実施形態について説明したが、本発明はこれに限定されるものではなく、例えば演出部材１２を遊技盤４における役物５とは異なる位置に形成させ、その位置で上下方向に延びる回転軸を中心として回転しつつ自重により落下するよう構成されたものであってもよい。また、演出部材１２が上下方向に延びる回転軸を中心として回転しつつ自重により落下するものであれば、落下時に回転力を付与させる別個の駆動源を具備したものであってもよい。
【００４３】
更に、演出部材１２の回転軸は、上記実施形態の如く上下方向に延びるものに代え、他の方向（水平方向や上下或いは水平方向に対して所定の傾斜角度を有した方向）に延びるものとしてもよい。また更に、演出部材１２の外観形状、形態等は如何なるものであってもよく、ワイヤＷと接続されたものの他、演出部材１２が上下方向に延びる回転軸を中心として回転しつつ自重により落下する他の構成のものであってもよい。尚、ステッピングモータＭに代えて他の汎用的な駆動源としてもよい。
【産業上の利用可能性】
【００４４】
演出部材が回転力付与手段を中心として回転しつつ自重により落下可能とされ、当該回転力付与手段から外れると慣性により回転状態が維持されるとともに、ワイヤの先端に連結されつつ自重で所定位置まで自由落下した後、当該ワイヤで上方へ引っ張られて初期位置とされる構成とされ、且つ、演出部材は、ワイヤを挿通させつつ当該ワイヤの弛みを許容する挿通空間が形成された筒状部材を具備したパチンコ遊技機であれば、外観形状が異なるもの或いは他の機能が付加されたものにも適用することができる。
【図面の簡単な説明】
【００４５】
【図１】本発明の実施形態に係るパチンコ遊技機を示す正面図
【図２】同パチンコ遊技機における役物を示す正面図
【図３】同パチンコ遊技機における役物を正面側から見た状態を示す斜視図
【図４】同パチンコ遊技機における役物を背面側から見た状態を示す斜視図
【図５】同パチンコ遊技機における役物及びその構成部品を示す分解斜視図
【図６】同パチンコ遊技機における演出部材が上端（初期位置）にある状態を示す斜視図
【図７】同パチンコ遊技機における演出部材が落下した状態を示す斜視図
【図８】同パチンコ遊技機における演出部材が上端（初期位置）にある状態を示す正面図
【図９】同パチンコ遊技機における演出部材が落下した状態を示す正面図
【図１０】図８におけるＸ−Ｘ線断面図
【図１１】図９におけるＸＩ−ＸＩ線断面図
【符号の説明】
【００４６】
１    パチンコ遊技機
２    ガラス板
３    前面枠
４    遊技盤
５    役物
６    図柄表示手段
７    始動口
８    大入賞口
９    上皿
１０  下皿
１１  ハンドル
１２  演出部材
１３  スパイラルシャフト
１４  固定フランジ
１５  センサドグ
１６  センサ取付ブラケット
１７  フォトセンサ
１８  基板
１９  基板
２０  円筒部材（筒状部材）
２０ａ、２０ｂ  羽根部
２０ｄ  挿通空間
２１  飾り受
２２  ベアリングカラー
２３  バランスウェイト
２４  ボールベアリング
Ｍ    ステッピングモータ（駆動手段）
Ｌ    回転軸
Ｒ１  アイドラプーリ
Ｒ２  巻き取りプーリ
Ｗ    ワイヤ
【図１】
0004744557.tif 000002
【図２】
0004744557.tif 000003
【図３】
0004744557.tif 000004
【図４】
0004744557.tif 000005
【図５】
0004744557.tif 000006
【図６】
0004744557.tif 000007
【図７】
0004744557.tif 000008
【図８】
0004744557.tif 000009
【図９】
0004744557.tif 000010
【図１０】
0004744557.tif 000011
【図１１】
0004744557.tif 000012